(57)【要約】      （修正有）【課題】ピント合わせの作業が不要であると共に、漏れ光などの光害を低減し、拡大鏡内部の照明環境を良好に保つことが可能な照明機能を有する拡大鏡、及びこの拡大鏡を備えた拡大鏡付きラジオを提供する。【解決手段】拡大鏡Ｒは、所定の曲率に形成された表面構造を有するレンズ１と、レンズ１を保持する上面２０と、上面２０と対向する底面に位置した覗き窓２２０とが形成され、レンズ１と底面の距離がレンズ１の焦点距離よりも短く設定されると共に、不透光性材料から成る中空形状のフレーム２と、フレーム２の内部に設けられ、指向性を有すると共に、複数配置して覗き窓２２０の略中央から周辺にかけて照度が徐々に変化する視認可能領域を形成可能なＬＥＤ素子５Ｂ、５Ｃとを備える。【選択図】図３
0003211205.tif 000002
【実用新案登録請求の範囲】
【請求項１】
所定の曲率に形成された表面構造を有する凸レンズと、
該凸レンズを保持する保持部と、該保持部に対向する面領域に位置した開口部とが形成され、前記凸レンズと面領域との距離が同凸レンズの焦点距離よりも短く設定されると共に、不透光性材料から成る中空形状のフレーム体と、
該フレーム体の内部に設けられ、指向性を有すると共に、複数配置して前記開口部の略中央から周辺にかけて照度が徐々に変化する照度漸次変化域を形成可能な光源とを備える
拡大鏡。
【請求項２】
前記照度漸次変化域は、
前記光源を所定の円周上に複数配置すると共に、同光源の前記開口部内における照射範囲を示す照射ラインを、前記開口部の略中心を挟んで各光源と反対側の開口部内に設定することにより形成する
請求項１に記載の拡大鏡。
【請求項３】
前記凸レンズは、フレネルレンズである
請求項１又は請求項２に記載の拡大鏡。
【請求項４】
前記光源は、点光源である
請求項１、請求項２又は請求項３に記載の拡大鏡。
【請求項５】
前記光源は、拡大対象物を照射する際の光量の調整が可能である
請求項１、請求項２、請求項３又は請求項４のいずれか一項に記載の拡大鏡。
【請求項６】
受信可能な周波数帯域に含まれる音声情報を選択し受信するチューナー機能を有し、音量の設定が可能なラジオモジュールと、
該ラジオモジュールと電気的に接続され、同ラジオモジュールによって受信され設定された音声情報を出力するスピーカ機能を有するスピーカモジュールとを備える
請求項１、請求項２、請求項３、請求項４又は請求項５に記載の拡大鏡。
【請求項７】
前記ラジオモジュールの音量設定は、３０〜５０デシベルである
請求項６に記載の拡大鏡。
【請求項８】
所定の曲率に形成された表面構造を有する凸レンズ、該凸レンズを保持する保持部と、該保持部に対向する面領域に位置した開口部とが形成され、前記凸レンズと面領域との距離が同凸レンズの焦点距離よりも短く設定されると共に、不透光性材料から成る中空形状のフレーム体、及び該フレーム体の内部に設けられ、指向性を有すると共に、複数配置して前記開口部の略中央から周辺にかけて照度が徐々に変化する照度漸次変化域を形成可能な光源を有する拡大鏡と、
受信可能な周波数帯域に含まれる音声情報を選択し受信するチューナー機能を有し、音量の設定が可能なラジオモジュールと、
該ラジオモジュールと電気的に接続され、同ラジオモジュールによって受信され設定された音声情報を出力するスピーカ機能を有するスピーカモジュールとを備える
拡大鏡付きラジオ。
【考案の詳細な説明】
【技術分野】
【０００１】
本考案は、拡大鏡及び拡大鏡付きラジオに関する。詳しくは、ピント合わせの作業が不要であると共に、漏れ光などの光害を低減し、拡大鏡内部の照明環境を良好に保つことが可能な照明機能を有する拡大鏡、及びこの拡大鏡を備えた拡大鏡付きラジオに関するものである。
【背景技術】
【０００２】
拡大鏡は文字や図形などを拡大して視認する際に用いられるものであり、取手が設けられ、虫眼鏡に近似する形状の拡大鏡が広く普及している。しかし、この拡大鏡を使用する際は拡大鏡を上下させてピント合わせをしなければならず、使いづらさがあった。また、拡大対象物を拡大すると光量が不足して暗くなってしまい視認性が低下してしまう。そして、このような場合には、さらに照明器具を用いて拡大対象物を照射する必要があり、拡大鏡と照明器具の双方を準備する必要があるが、この場合、周囲にも光が照射され、漏れ光などの光害が発生していた。
【０００３】
これを解消するため、特許文献１に示すように、拡大鏡と照明装置が一体となった、クリップによりレンズが着脱される照明付き拡大鏡が考案されている。具体的には、アーム部の先端に設けられたレンズ保持部に拡大用レンズを着脱可能に把持すると共に、拡大用レンズに近接する位置に光源が設けられた拡大鏡である。
【０００４】
この拡大鏡に光源が設けられていることにより拡大対象物を局所的に照射することができるので、拡大鏡と照明器具の双方を準備する手間を省くことができる。また拡大対象物を適度な明るさで照射するので、視認性が低下するのを抑えることができる。
【先行技術文献】
【特許文献】
【０００５】
【特許文献１】特開２００４−３０９６３３号公報
【考案の概要】
【考案が解決しようとする課題】
【０００６】
しかしながら、特許文献１に記載された拡大鏡は、この拡大鏡と光源とが近接して設けられていることから、作業中に光源と使用者の目の位置が近くなり、グレアと呼ばれる、物が見えづらくなる現象が生じやすくなる。また、この拡大鏡は、「焦点距離が３０〜４０センチであるフレネルレンズが用いられる」と記載されているだけで、積極的にピント合わせの作業を省くことを可能とするものではない。そして、光源から照射される光は一定の範囲に及び、また遮光手段などは設けられていないので、漏れ光などの光害を低減することはできない。
【０００７】
よって、特許文献１に記載された拡大鏡は、上記課題の全てを解決するものではない。
【０００８】
本考案は以上の点に鑑みて創案されたものであり、ピント合わせの作業が不要であると共に、漏れ光などの光害を低減し、拡大鏡内部の照明環境を良好に保つことが可能な照明機能を有する拡大鏡、及びこの拡大鏡を備えた拡大鏡付きラジオを提供することを目的とする。
【課題を解決するための手段】
【０００９】
上記課題を解決するために、本考案の拡大鏡は、所定の曲率に形成された表面構造を有する凸レンズと、該凸レンズを保持する保持部と、該保持部に対向する面領域に位置した開口部とが形成され、前記凸レンズと面領域との距離が同凸レンズの焦点距離よりも短く設定されると共に、不透光性材料から成る中空形状のフレーム体と、該フレーム体の内部に設けられ、指向性を有すると共に、複数配置して前記開口部の略中央から周辺にかけて照度が徐々に変化する照度漸次変化域を形成可能な光源とを備える。
【００１０】
ここで、所定の曲率に形成された表面構造を有する凸レンズと、凸レンズと面領域との距離が凸レンズの焦点距離よりも短く設定されたフレーム体とによって、開口部に近接し、かつ焦点距離よりも凸レンズ寄りに位置する拡大対象物からの光により、正立虚像が生じるため、拡大対象物をピント合わせすることなく、拡大して視認することができる。
【００１１】
また、不透光性材料から成るフレーム体及びフレーム体の内部に設けられた光源によって、光源から発せられた光がフレーム体を透過して外部に漏れてしまう、いわゆる漏れ光による光害を低減すると共に、開口部付近を充分に照射することで視認性が高まり、フレーム体の内部の照明環境を良好に保つことができる。
【００１２】
そして、光源がフレーム体の内部に設けられることによって、使用時に使用者の目の位置から離間した位置に光源が設けられるので、グレアの発生を抑えることができ、良好な照明環境を保つことができる。
【００１３】
更に、中空形状を有するフレーム体に、凸レンズを保持する保持部と、保持部に対向する面領域に位置した開口部とが形成されることによって、凸レンズと開口部を離間して設けることができると共に、凸レンズを介して開口部付近に位置する拡大対象物を視認することができる。
【００１４】
加えて、指向性を有すると共に、複数配置して前記開口部の略中央から周辺にかけて照度が徐々に変化する照度漸次変化域を形成可能な光源によって、開口部の略中心と周辺との急激な照度差によるホットスポットといわれる現象を抑えることができ、拡大鏡内部の照明環境を良好に保つことができる。
【００１５】
また、照度漸次変化域は、光源を所定の円周上に複数配置すると共に、光源の開口部内における照射範囲を示す照射ラインを、開口部の略中心を挟んで各光源と反対側の開口部内に設定することにより形成する場合には、各光源の位置と照射範囲を調整するだけの簡単な構成で、各光源から照射される光線の重なり具合により開口部の略中心を最も照度が高く、そしてその周辺にかけて徐々に照度が低くなる照明環境にするができ、照明装置の簡素化を図ることができる。
【００１６】
また、凸レンズがフレネルレンズである場合には、凸レンズよりも軽量であり、薄く形成されているので、拡大鏡を軽量化、コンパクト化することができる。
【００１７】
また、光源が点光源である場合には、光源を設置するスペースを狭くすることができ、拡大鏡をコンパクト化することができる。
【００１８】
また、光源が拡大対象物を照射する際の光量の調整が可能である場合には、周囲の明るさに拡大鏡内部の明るさを対応させることで、周囲の明るさと拡大鏡内部の輝度差により生じる視認性が低下する現象であるグレアにより、物の見えづらさが生じることを抑えることができ、拡大鏡内部の照明環境を良好に保つことができる。
【００１９】
また、受信可能な周波数帯域に含まれる音声情報を選択し受信するチューナー機能を有し、音量の設定が可能なラジオモジュールと、ラジオモジュールと電気的に接続され、ラジオモジュールによって受信され設定された音声情報を出力するスピーカ機能を有するスピーカモジュールとを備える場合には、拡大鏡を用いて作業をしながらラジオを聴く、あるいはラジオ機能を単独で利用することができる。
【００２０】
また、ラジオモジュールの音量設定が３０〜５０デシベルである場合には、拡大鏡の使用者のみに明瞭に聴取可能な音量に設定することができ、周囲にとって不要な音を発することを抑えることができる。
【００２１】
一方、３０デシベルよりも小さい音量の場合には使用者が明瞭に聴取することができない。また、５０デシベルよりも大きい場合には、使用者にとって過大な音量であるだけでなく、周囲の作業者等にとって不要な音を放出することになってしまう。
【００２２】
また、上記課題を解決するために、本考案の拡大鏡付きラジオは、所定の曲率に形成された表面構造を有する凸レンズと、該凸レンズを保持する保持部と、該保持部に対向する面領域に位置した開口部とが形成され、前記凸レンズと面領域との距離が同凸レンズの焦点距離よりも短く設定されると共に、不透光性材料から成る中空形状のフレーム体、及び該フレーム体の内部に設けられ、指向性を有すると共に、複数配置して前記開口部の略中央から周辺にかけて照度が徐々に変化する照度漸次変化域を形成可能な光源を有する拡大鏡と、受信可能な周波数帯域に含まれる音声情報を選択し受信するチューナー機能を有し、音量の設定が可能なラジオモジュールと、該ラジオモジュールと電気的に接続され、同ラジオモジュールによって受信され設定された音声情報を出力するスピーカ機能を有するスピーカモジュールとを備える。
【００２３】
ここで、所定の曲率に形成された表面構造を有する凸レンズと、凸レンズと面領域との距離が凸レンズの焦点距離よりも短く設定されたフレーム体とによって、開口部に近接し、かつ焦点距離よりも凸レンズ寄りに位置する拡大対象物からの光により、正立虚像が生じるため、拡大対象物をピント合わせすることなく、拡大して視認することができる。
【００２４】
また、不透光性材料から成るフレーム体及びフレーム体の内部に設けられた光源によって、前述した漏れ光による光害を低減すると共に、開口部付近を充分に照射することで視認性が高まり、フレーム体の内部の照明環境を良好に保つことができる。
【００２５】
そして、光源がフレーム体の内部に設けられることによって、使用時に使用者の目の位置から離間した位置に光源が設けられるので、グレアの発生を抑えることができ、良好な照明環境を保つことができる。
【００２６】
更に、中空の形状を有するフレーム体に、凸レンズを保持する保持部と、保持部に対向する面領域に位置した開口部とが形成されることによって、凸レンズと開口部を離間して設けることができると共に、凸レンズを介して開口部付近に位置する拡大対象物を視認することができる。
【００２７】
加えて、指向性を有すると共に、複数配置して前記開口部の略中央から周辺にかけて照度が徐々に変化する照度漸次変化域を形成可能な光源によって、前述したホットスポットといわれる現象を抑えることができ、拡大鏡内部の照明環境を良好に保つことができる。
【００２８】
また、受信可能な周波数帯域に含まれる音声情報を選択し受信するチューナー機能を有し、音量の設定が可能なラジオモジュールと、ラジオモジュールと電気的に接続され、ラジオモジュールによって受信され設定された音声情報を出力するスピーカ機能を有するスピーカモジュールによって、ラジオモジュールによって受信した音声情報を、スピーカモジュールを用いて出力することができる。
【考案の効果】
【００２９】
本考案に係る拡大鏡及び拡大鏡付きラジオは、ピント合わせの作業が不要であると共に、漏れ光などの光害を低減し、拡大鏡内部の照明環境を良好に保つことが可能な照明機能を有する拡大鏡、及びこの拡大鏡を備えた拡大鏡付きラジオを提供することができる。
【図面の簡単な説明】
【００３０】
【図１】本考案に係る拡大鏡の一実施の形態を示した、斜め上方からの斜視説明図である。
【図２】本考案に係る拡大鏡の一実施の形態を示した、斜め下方からの斜視説明図である。
【図３】図１のＡ−Ａ矢視断面図である。
【図４】本考案に係る拡大鏡Ｒの上面２０側から見た照明環境を表した平面模式図である。
【考案を実施するための形態】
【００３１】
以下、本考案の実施の形態について図１乃至図４を参照しながら説明し、本考案の理解に供する。
【００３２】
〔実施の形態〕
図１に示すように、本考案に係る拡大鏡Ｒは、凸レンズの一例であるレンズ１、及びフレーム体の一例であり、一辺が約８０ｍｍの略立方体の形状を有するフレーム２から成る。
【００３３】
フレーム２は、上面２０、側面２１ａ〜２１ｄ、底面２２の六面から成る。上面２０、側面２１ａ〜２１ｄ、底面２２の六面は、互いに曲面２３を介して隣接している。
【００３４】
レンズ１は、一方の面が凸状に、他方の面が平らに形成された、いわゆる平凸レンズである。レンズ１の直径は約７０ｍｍであり、中央付近の厚みは、約１１．４ｍｍである。なお、レンズは平凸レンズに限られるものではなく、両凸レンズ、あるいはフレネルレンズであってもよい。
【００３５】
レンズ１の表面は、半径約７２ｍｍの曲率半径を有する球面上に形成された表面構造を有する。そして、一般に、焦点距離は、以下の式により求められる。
【００３６】
（数１）
１／ｆ＝（ｎ−１）／Ｒ
【００３７】
ここで、ｆは焦点距離、ｎは屈折率、Ｒは曲率半径を示す。本実施例におけるレンズ１はガラス製であるので屈折率は１．５であり、曲率半径は７２ｍｍである。よって、レンズ１の焦点距離は１４４ｍｍとなる。
【００３８】
面領域の一例である底面２２と上面２０との距離は約８０ｍｍであるので、底面２２に近接する拡大対象物はレンズ１の焦点距離よりもレンズ１寄りに置かれることになる。この場合、使用者はレンズ１を介して拡大された拡大対象物の正立虚像を視認することができ、ピント合わせの作業を省くことができる。
【００３９】
フレーム２の上面２０は保持部の一例であり、直径約６０ｍｍの貫通孔２０ａが設けられている。貫通孔２０ａの縁部のフレーム２内部側には、図３に示すように、嵌入溝２４が貫通孔２０ａの縁部に沿って周設されている。嵌入溝２４にレンズ１を嵌入させることで、レンズ１はフレーム２によって保持される。このとき、嵌入溝２４の下面２４０とフレーム２の上端までの距離は約８ｍｍであるので、レンズ１はフレーム２の上面２０から約３．４ｍｍ突出している。
【００４０】
なお、一般に、フレネルレンズは凸レンズよりも薄く形成されていることから、フレネルレンズを用いた場合には、上面２０からレンズが突出することがないので、拡大鏡Ｒをコンパクトに形成することができる。
【００４１】
フレーム２の側面２１は、図２に示すように、ラジオの操作用アイコン等が表示された表示面２１０を備える側面２１ａ、側面２１ａと対向し、スピーカ２１８が設けられた側面２１ｂ、側面２１ａ、２１ｂと隣接する側面２１ｃ、２１ｄから成る。
【００４２】
表示面２１０のフレーム２の内側には、表示面２１０上の各アイコンの機能を実現するための部品等が格納されたアイコンボックス２１０Ａが設けられている。また、スピーカ２１８が設けられた側面２１ｂのフレーム２の内側には、スピーカ２１８の機能を実現するための部品等が格納されたスピーカボックス２１８Ａが設けられている。
【００４３】
また、底面２２は面領域の一例であり、直径約８０ｍｍの覗き窓２２０が設けられている。覗き窓２２０は、開口部の一例であり、開放されている。アイコンボックス２１０Ａ及びスピーカボックス２１８Ａが覗き窓２２０の一部を塞ぐように、フレーム２内に迫り出しているため、覗き窓２２０で囲われた視認可能な面領域である視認可能領域Ｓ１は、一組の対向する辺が直線状であり、他の一組の対向する辺が外側に湾曲した曲線状である形状を有する。
【００４４】
フレーム２の内部は、略円筒形にくり抜かれて中空に形成されており、貫通孔２０ａと同径である第１貫通体２５Ａと、第１貫通体２５Ａよりも径大に形成された第２貫通体２５Ｂとから構成される。第１貫通体２５Ａの直径は約６０ｍｍであり、第２貫通体２５Ｂの直径は約７６ｍｍである。第１貫通体２５Ａは、貫通孔２０ａから連続してフレーム２の略中央付近まで設けられている。
【００４５】
第２貫通体２５Ｂは、上面２０ａ側から平面視した場合に貫通孔２０ａ及び第１貫通体２５Ａと中心軸が同一に形成されており、フレーム２の略中央付近から底面２２の覗き窓２２０まで貫通して設けられている。
【００４６】
第２貫通体２５Ｂでは、アイコンボックス２１０Ａ及びスピーカボックス２１８Ａが、第２貫通体２５Ｂ内に迫り出しているので、第２貫通体２５Ｂの高さ方向の断面形状は、一組の対向する辺が直線状であり、他の一組の対向する辺が外側に湾曲した曲線状である形状に形成されており、平面視すると視認可能領域Ｓ１と重なる。
【００４７】
第１貫通体２５Ａの下端と第２貫通体２５Ｂの上端が接する面領域には、第１貫通体２５Ａと第２貫通体２５Ｂの径の差から生じる段差面２６が形成されている。段差面２６の幅は約８ｍｍであり、環状に形成されている。また、段差面２６から覗き窓２２０までの距離は約３４ｍｍである。
【００４８】
段差面２６上には、点光源の一例であり、対角線上に配置された４個のＬＥＤ素子５と、各ＬＥＤ素子５の入電及び切電を行う電源供給スイッチ２７が設けられている。
【００４９】
本実施例のＬＥＤ素子５の指向角は約１１０度であるため、各ＬＥＤ素子５から発光される光線は覗き窓２２０の約３／４の範囲に照射される。そして、各ＬＥＤ素子５が対角線上に設けられていることから、覗き窓２２０の中央付近には各ＬＥＤ素子５による四方からの光線により照射される。なお、指向角とは、ＬＥＤなどの発光素子を真上から見た光の強度を１とし、斜めから見た場合の光の強度が半分となるときの光線の広がり角度をいう。本実施の形態における指向角は、８０〜１２０度が好ましい。
【００５０】
ＬＥＤ素子５によるフレーム２内の照明について、図３及び図４を用いて詳細に説明する。図４に示すように、ＬＥＤ素子５Ａから発せられた光線は、覗き窓２２０の中心を超えて照射ラインＬ１まで照射され、ＬＥＤ素子５Ｂから発せられた光線は、覗き窓２２０の中心を超えて照射ラインＬ２まで照射される。ＬＥＤ素子５Ｃから発せられた光線は、覗き窓２２０の中心を超えて照射ラインＬ３まで照射され、ＬＥＤ素子５Ｄから発せられた光線は、覗き窓２２０の中心を超えて照射ラインＬ４まで照射される。
【００５１】
ここで、照射ラインＬ１、Ｌ２、Ｌ３、Ｌ４で囲まれた照射領域Ｓ２は、４つのＬＥＤ素子５Ａ〜５Ｄにより四方から照射されるため、拡大対象物を視認するのに充分な光量が照射される。
【００５２】
照射ラインＬ２、Ｌ３及びＬ４で囲まれた照射領域Ｓ３は、三つのＬＥＤ素子５Ａ、５Ｂ及び５Ｄにより三方から照射され、照射領域Ｓ２と同程度の明るさではないが、拡大対象物を充分に視認することができる光量が照射される。
【００５３】
照射ラインＬ１、Ｌ３及びＬ４で囲まれた照射領域Ｓ４は、三つのＬＥＤ素子５Ａ、５Ｂ及び５Ｃにより三方から照射され、照射領域Ｓ２程の明るさではないが、照射領域Ｓ３と同程度の、拡大対象物を視認することができる光量が照射される。
【００５４】
照射ラインＬ１、Ｌ２及びＬ４で囲まれた照射領域Ｓ５は、三つのＬＥＤ素子５Ｂ、５Ｃ及び５Ｄにより三方から照射され、照射領域Ｓ２程の明るさではないが、照射領域Ｓ３、Ｓ４と同程度の、拡大対象物を視認することができる光量が照射される。
【００５５】
照射ラインＬ１、Ｌ２及びＬ３で囲まれた照射領域Ｓ６は、三つのＬＥＤ素子５Ａ、５Ｃ及び５Ｄにより三方から照射され、照射領域Ｓ２程の明るさではないが、照射領域Ｓ３、Ｓ４、Ｓ５と同程度の、拡大対象物を視認することができる光量が照射される。
【００５６】
そして、照射ラインＬ３及びＬ４で囲まれた照射領域Ｓ７は、二つのＬＥＤ素子５Ａ及び５Ｂにより二方から照射され、照射領域Ｓ２〜Ｓ６程の明るさではないものの、拡大対象物を視認するのに充分な光量が照射される。
【００５７】
照射ラインＬ１及びＬ４で囲まれた照射領域Ｓ８は、二つのＬＥＤ素子５Ｂ及び５Ｃにより二方から照射され、照射領域Ｓ２〜Ｓ６程の明るさではないものの、拡大対象物を視認するのに充分な光量が照射される。
【００５８】
照射ラインＬ１及びＬ２で囲まれた照射領域Ｓ９は、二つのＬＥＤ素子５Ｃ及び５Ｄにより二方から照射され、照射領域Ｓ２〜Ｓ６程の明るさではないものの、拡大対象物を視認するのに充分な光量が照射される。
【００５９】
照射ラインＬ２及びＬ３で囲まれた照射領域Ｓ１０は、二つのＬＥＤ素子５Ａ及び５Ｄにより二方から照射され、照射領域Ｓ２〜Ｓ６程の明るさではないものの、拡大対象物を視認するのに充分な光量が照射される。
【００６０】
このように、視認可能領域Ｓ１の中央に位置する照射領域Ｓ２が最も明るく、照射領域Ｓ２の周囲に、照度がやや下がるものの充分に視認可能な領域である照射領域Ｓ３〜Ｓ６が配置され、さらに、Ｓ２〜Ｓ６の周囲に、さらに照度が下がるものの視認可能な領域である照射領域Ｓ７〜Ｓ１０が配置され、これにより、視認可能領域Ｓ１が、覗き窓２２０の略中央から周辺にかけて照度が徐々に変化する照度漸次変化域を構成しており、前述のホットスポットといわれる現象が生じにくくなり、視認性を高めることができるので、良好な照明環境を保つことができる。
【００６１】
また、本実施例のＬＥＤ素子５は、例えば、リフレクターの機能を有するカバーで被覆した場合には、ＬＥＤ素子５から発光される光線はより拡散されて、図４に示す範囲よりもさらに広い範囲を照射することができる。
【００６２】
側面２１ａの上部には、受信するラジオの周波数などを表示するモニタ２１９、Ｍｉｃｒｏ−Ｂｔｙｐｅの端子を挿入可能な充電口２１１、ＬＥＤ素子５の光量を調節可能なタッチセンサ２１２、ラジオモジュールが受信した音声信号の音量を上げる音量増幅アイコン２１３、ラジオモジュールが受信した音声信号の音量を下げる音量減衰アイコン２１４、ラジオ機能のオン状態、オフ状態を設定可能であると共に、長押しすることで自動的に受信可能なラジオの周波数を検索するオートセレクタ２１５、ラジオの周波数を下げる低帯域移行アイコン２１６、ラジオの周波数を上げる高帯域移行アイコン２１７が表示されている。
【００６３】
なお、充電口２１１は、Ｍｉｃｒｏ−Ｂｔｙｐｅの端子に対応するものに限られるものではなく、他のコネクタでの充電も考えられる。タッチセンサ２１２、音量増幅アイコン２１３、音量減衰アイコン２１４、オートセレクタ２１５、低帯域移行アイコン２１６、高帯域移行アイコン２１７は、静電容量の変位を検知することで起動若しくは終了する。特に、タッチセンサ２１２は、静電容量の変位を検知することで３段階の明るさを選択することができる。なお、各アイコンの起動若しくは終了は、静電容量の変位を検知することによるものに限られず、例えば押しボタン式のスイッチなどの他の手段を用いることも考えられる。
【００６４】
また、音量増幅アイコン２１３に触れるとスピーカ２１８から出力される音量が大きくなり、音量減衰アイコン２１４に触れるとスピーカ２１８から出力される音量が小さくなる。そして、オートセレクタ２１５に触れると、自動で受信可能な周波数に移行する。低帯域移行アイコン２１６に触れると、受信帯域を低い周波数に移行させ、高帯域移行アイコン２１７に触れると受信帯域を高い周波数に移行させる。
【００６５】
スピーカ２１８は、音量増幅アイコン２１３及び音量減衰アイコン２１４と電気的に接続しており、音量増幅アイコン２１３及び音量減衰アイコン２１４の操作に応じた音量を放出することができる。
【００６６】
［本実施の形態に示す拡大鏡Ｒの使用方法］
拡大鏡Ｒを新聞の紙面上に載置する。このとき、拡大鏡Ｒは、一辺が約８０ｍｍの略立方体形状であることから、片手で容易に把持することができる。また、拡大鏡Ｒは、約２００グラムの自重を有することから、新聞紙や雑誌などの紙面上に載置しても容易に移動しにくいので、ペーパーウェイトとしての機能も有する。
【００６７】
また、拡大鏡Ｒは略立方体形状に形成され、底面２２は略平面に形成されているので、安定性に優れている。そして、拡大鏡Ｒの各六面は曲面２３を介して隣接しているので、拡大鏡Ｒを傾けて使用する場合であっても、滑らかに傾けることができるので、使い勝手が良い。
【００６８】
拡大鏡Ｒの上面２０に設けられたレンズ１から拡大鏡Ｒの内部をのぞき込むと、覗き窓２２０、アイコンボックス２１０Ａ及びスピーカボックス２１８Ａによって区切られた視認可能領域Ｓ１から、新聞の紙面に記載された文字等を拡大して視認することができる。この時の、拡大対象物である文字等は約４倍に拡大されるので、容易に視認することができる。
【００６９】
また、拡大鏡Ｒ内の明るさが不足している場合には、覗き窓２２０から手を差入れ、フレーム２内に設けられた電源供給スイッチ２７をＯＮ状態にすることで、同じくフレーム２内に設けられたＬＥＤ素子５Ａ、５Ｂ、５Ｃ、５Ｄが点灯し、フレーム２内が明るく照射され、良好な照明環境に保つことができ、別途照明装置を準備する必要はない。
【００７０】
フレーム２内の照明環境は、側面２１ａに設けられたタッチセンサ２１２に触れることで、ＬＥＤ素子５Ａ、５Ｂ、５Ｃ、５Ｄを３段階の明るさに調光することができる。ＬＥＤ素子５Ａ、５Ｂ、５Ｃ、５Ｄが消灯している状態において、タッチセンサ２１２に指先で触れる（１回目）ことで点灯し、再度触れる（２回目）とやや明るくなり、３回目に触れた時に最大の明るさとなる。そして、その後触れる（４回目）と、ＬＥＤ素子５Ａ、５Ｂ、５Ｃ、５Ｄは消灯する。
【００７１】
また、タッチセンサ２１２により、周囲の明るさに合わせてフレーム２内の明るさを選択することができるので、いわゆるグレアと呼ばれる視認性が低下する現象が発生するのを抑えることができる。なお、グレアは光源と周囲との輝度差等により生じ、光源と周囲との輝度差が大きいほどグレアの程度が大きくなる。
【００７２】
よって、周囲が明るい屋外や日中の窓辺での作業をする場合にはフレーム２内を明るめに調光し、就寝前の寝室などでは暗めに調光することで、グレアの発生を抑えることができる。
【００７３】
そして、フレーム２は不透光性材料により形成されており、拡大鏡Ｒから周囲への漏れ光による、いわゆる光害を低減することができるので、就寝前の寝室などにおいて他者の快眠を妨げることがない。
【００７４】
また、拡大鏡Ｒは、フレーム２の側面２１ａにラジオ機能を備えている。
使用時には、まず、オートセレクタ２１５に触れてラジオ機能をＯＮ状態にする。そして、低帯域移行アイコン２１６に触れることで、低帯域のチャンネルに移行することができる。また、高帯域移行アイコン２１７に触れることで高帯域のチャンネルに移行することができる。そして、オートセレクタ２１５を長押しすることで、受信可能なチャンネルを自動で選択することができる。これらの機能により選択されたチャンネルや受信中の周波数は、モニタ２１９に表示される。
【００７５】
また、音量増幅アイコン２１３に触れることで音量を上げることができ、音量減衰アイコン２１４に触れることで音量を下げることができるので、適切な音量に調整することで、周囲にとって雑音となる音が発生することを抑えることができる。なお、周囲にとって雑音とならず、かつ使用者にとって充分に聴取可能な音量は３０〜５０デシベルであり、これは半径３メートル以内で聴取可能な音量である。
【００７６】
また、拡大鏡として使用せず、ラジオ機能のみを使用することも可能である。この場合は、スピーカ２１８が設けられた側面２１ｂが上面に位置するように、拡大鏡Ｒを回転させることで、より明確にラジオからの音声情報を聴取することができる。このとき、拡大鏡Ｒは、上面２０、側面２１ａ〜２１ｄ及び底面２２が互いに曲面２３を介して隣接しているので、拡大鏡Ｒを滑らかに回転させることができる。
【００７７】
拡大鏡Ｒは、充電口２１１にＭｉｃｒｏ−Ｂｔｙｐｅの端子を挿入することで、充電することができる。なお、充電口はＭｉｃｒｏ−Ｂｔｙｐｅの端子に対応するものに限られるのではなく、Ｍｉｃｒｏ−Ｂｔｙｐｅ以外のＵＳＢ（登録商標）規格の端子、例えば、ＴｙｐｅＡ、Ｍｉｎｉ−Ｂｔｙｐｅなどであってもよい。
【００７８】
ラジオ機能を終了させる際は、オートセレクタ２１５に触れることでＯＦＦ状態にすることができる。
【００７９】
このように、本願発明を適用した拡大鏡及び拡大鏡付きラジオは、ピント合わせの作業が不要であると共に、漏れ光などの光害を低減し、拡大鏡内部の照明環境を良好に保つことが可能な照明機能を有する拡大鏡、及びこの拡大鏡を備えた拡大鏡付きラジオを提供できるものとなっている。
【符号の説明】
【００８０】
１  レンズ（凸レンズ）
２  フレーム（フレーム体）
５Ａ、５Ｂ、５Ｃ、５Ｄ  ＬＥＤ素子（光源）
２０  上面（保持部）
２２  底面（面領域）
２２０  覗き窓（開口部）
Ｒ  拡大鏡
Ｓ１  視認可能領域（照度漸次変化域）
【図１】
0003211205.tif 000003
【図２】
0003211205.tif 000004
【図３】
0003211205.tif 000005
【図４】
0003211205.tif 000006